(57)【特許請求の範囲】
【請求項１】
隣り合う一対の垂直壁間に外科用留め具を保持する空間を形成する複数の垂直壁を有する基体と、
基体に回動可能に各々接続される複数の固定部材と、
基体と固定部材とに設けられて、閉鎖位置に固定部材を固定する係止装置とを備え、
各固定部材は、留め具を空間内に装填する開放位置と、留め具を覆って空間内に留め具を保持する閉鎖位置との間で基体に対して移動可能な可撓性の保持片を備え、
閉鎖位置にある固定部材の保持片は、留め具に接触して、留め具を空間内に保持し、
可撓性の保持片に接触する留め具に整合する外科用接合器具により、容器から留め具を取り出せることを特徴とする外科用留め具容器。
【請求項２】
固定部材は、基体に接続される側壁を有する請求項１に記載の外科用留め具容器。
【請求項３】
基体に対して固定部材を回転移動する回転軸となる一体の丁番部を介して側壁を基体に接続した請求項２に記載の外科用留め具容器。
【請求項４】
一体の丁番部に向かう傾斜面を基体と側壁に形成し、固定部材が閉鎖位置にあるとき、基体と側壁の傾斜面は、互いに向き合う請求項３に記載の外科用留め具容器。
【請求項５】
保持片は、側壁に対して鋭角を形成する請求項２に記載の外科用留め具容器。
【請求項６】
固定部材は、基体の片側と保持片との間に接続される側壁を備え、
側壁と保持片とを組み合わせて、留め具を空間に保持する請求項１に記載の外科用留め具容器。
【請求項７】
固定部材が閉鎖位置に移動するとき、固定部材を基体に固定するラッチを係止装置に設けた請求項１に記載の外科用留め具容器。
【請求項８】
ラッチは、基体と固定部材との一方に設けられた可撓性の爪片と、基体と固定部材との他方に設けられた受口とを備え、固定部材が閉鎖位置にあるとき、可撓性の爪片は、受口内に保持される請求項７に記載の外科用留め具容器。
【請求項９】
留め具を保持する基体を備える容器と、
包装座と、
容器と包装座との間に配置される接着性シートと、
容器を収容する膨出部を有しかつ包装座に固定される膨出部シートとを備え、
容器の基体は、隣り合う一対の垂直壁間に留め具を保持する空間を形成する複数の垂直壁を有し、
容器は、更に基体に回動可能に各々接続される複数の固定部材と、
基体と固定部材とに設けられて、固定部材を閉鎖位置に固定する係止装置とを備え、
各固定部材は、留め具を空間内に装填する開放位置と、留め具を覆って空間内に保持する閉鎖位置との間で基体に対して移動可能な可撓性の保持片を備え、
閉鎖位置にある固定部材の保持片は、留め具に接触して、留め具を空間内に保持し、
可撓性の保持片に接触する留め具に整合する外科用接合器具により、容器から留め具を取り出せることを特徴とする外科用留め具組立体。
【請求項１０】
固定部材は、基体と保持片とに接続される側壁を有する請求項９に記載の外科用留め具組立体。
【請求項１１】
基体に対して固定部材を移動させる回転軸となる一体の丁番部により基体に側壁を接続した請求項１０に記載の外科用留め具組立体。
【請求項１２】
一体の丁番部に向かう傾斜面を基体及び側壁に形成し、固定部材が閉鎖位置にあるとき、基体及び側壁の傾斜面は、互いに向き合う請求項１１に記載の外科用留め具組立体。
【請求項１３】
保持片は、側壁に対して鋭角を形成する請求項１０に記載の外科用留め具組立体。
【請求項１４】
固定部材は、基体の片側と保持片との間に接続される側壁を備え、
側壁と保持片とを組み合わせて留め具を空間に保持する請求項９に記載の外科用留め具組立体。
【請求項１５】
閉鎖位置に移動した固定部材を基体に固定するラッチを係止装置に設けた請求項９に記載の外科用留め具組立体。
【請求項１６】
ラッチは、基体と固定部材との一方に設けられた可撓性の爪片と、基体と固定部材との他方に設けられた受口とを備え、固定部材が閉鎖位置にあるとき、可撓性の爪片は、受口内に保持される請求項１５に記載の外科用留め具組立体。
【発明の詳細な説明】
【背景技術】
【０００１】
本発明は、外科用留め具容器（カートリッジ）に関連する。外科医が留め具を必要とするまで１つ又は２つ以上の外科用留め具（クリップ、ファスナ）を保持する外科用留め具容器を外科手術に使用することが多い。外科手術での使用前の輸送時又は様々な取扱時に留め具を容器内の所定位置に保持しなければならない問題がある。
【０００２】
前記問題を解消する手段を提供することが本発明の開示焦点である。
【発明の概要】
【発明が解決しようとする課題】
【０００３】
本発明は、容器の所定位置に容器と一体にかつ安全に留め具を使用前に保持する留め具保持構造を有しかつ簡素で費用効率の高い外科用留め具容器を提供することを目的とする。
【０００４】
外科用留め具（ファスナ、クリップ）を保持する本発明の外科用留め具容器は、隣り合う一対の垂直壁(16)間に外科用留め具(20)を保持する空間(18)を形成する複数の垂直壁(16)を有する基体(12)と、基体(12)に回動可能に各々接続される複数の固定部材(14)と、基体(12)と固定部材(14)とに設けられて、閉鎖位置に固定部材(14)を固定する係止装置(38)とを備える。各固定部材(14)は、留め具(20)を空間(18)内に装填する開放位置と、留め具(20)を覆って空間(18)内に留め具(20)を保持する閉鎖位置との間で基体(12)に対して移動可能な可撓性の保持片(32)を備える。閉鎖位置にある固定部材(14)の保持片(32)は、留め具(20)に接触して、留め具(20)を空間(18)内に保持し、可撓性の保持片(32)に接触する留め具(20)に整合する外科用接合器具により、容器(10)から留め具(20)を取り出すことができる。
【０００５】
また、本発明による外科用留め具組立体は、留め具(20)を保持する基体(12)を備える容器(10)と、包装座(50)と、容器(10)と包装座(50)との間に配置される接着性シート(52)と、容器(10)を収容する膨出部(56)を有しかつ包装座(50)に固定される膨出部シート(54)とを備える。容器(10)の基体(12)は、隣り合う一対の垂直壁(16)間に留め具(20)を保持する空間(18)を形成する複数の垂直壁(16)を有し、容器(10)は、更に基体(12)に回動可能に各々接続される複数の固定部材(14)と、基体(12)と固定部材(14)とに設けられて、固定部材(14)を閉鎖位置に固定する係止装置(38)とを備える。各固定部材(14)は、留め具(20)を空間(18)内に装填する開放位置と、留め具(20)を覆って空間(18)内に保持する閉鎖位置との間で基体(12)に対して移動可能な可撓性の保持片(32)を備える。閉鎖位置にある固定部材(14)の保持片(32)は、留め具(20)に接触して、留め具(20)を空間(18)内に保持し、可撓性の保持片(32)に接触する留め具(20)に整合する外科用接合器具により、容器(10)から留め具(20)を取り出すことができる。
【図面の簡単な説明】
【０００６】
添付図面について本発明の好適な実施の形態を以下詳述する。
【図１】固定部材が開放位置にある本発明の外科用留め具容器の断面図
【図２】閉鎖位置にある固定部材により外科用留め具を基体に固定する本発明の外科用留め具容器の断面図
【図３】固定部材が閉鎖位置にある本発明の外科用留め具容器の斜視図
【図４】外科用留め具を一体に保持する本発明の外科用留め具容器の係止装置を示す図３の部分拡大図
【図５】固定部材が開放位置にある本発明の外科用留め具容器の斜視図
【図６】図５に示す本発明の外科用留め具容器に使用する係止装置の部分拡大図
【図７】固定部材を開放位置に移動して、本発明の外科用留め具容器に一連の留め具を装着する状態を示す斜視図
【図８】本発明の外科用留め具容器とその包装体を含む全組立体の分解斜視図
【発明を実施するための形態】
【０００７】
本発明は、外科用留め具を収容しかつ保持する外科用留め具容器（単に「容器」と表示することもある）に関連し、この容器は、効率的に製造でき、留め具を容器内に容易に装着でき、しかも簡易な被覆閉鎖機構（固定部材）により容器と一体化して容器内に留め具を固定でき、更に、必要時に留め具に容易に接近して留め具を取り出すことができる。
【０００８】
多種多様な型式の外科用留め具、即ち広義の外科用ファスナに本発明を使用できるが、当業者に周知で特に有用な外科用留め具、即ち外科用クリップに適用する例について本発明の実施の形態を説明する。従って、本明細書は、外科用留め具、即ち外科用クリップを開示する。
【０００９】
図１は、基体12に移動可能に接続される固定部材14を基体12に対して開放位置に移動した本発明の外科用留め具容器10の断面図を示し、図２は、固定部材14を開放位置から閉鎖位置に移動した断面図を示す。
【００１０】
基体12は、隣り合う一対の垂直壁16間に外科用留め具20を容器10内に所望のように保持する空間18を形成する複数の垂直壁16を有する（図３、図５及び図７）。複数の垂直壁16間に形成される空間18内の所望位置に留め具20を保持する支持体22を基体12に設けることが好ましい。空間18内の留め具20の両端24を支持体22の両側に自由に垂下できしかも保持すべき留め具20の内側形状に相補的な形状に支持体22を形成することが好ましい。
【００１１】
図示のように、互いにほぼ平行に配置される一連の垂直壁16の各対により留め具20を保持する複数の空間を形成する相対的に正方形又は矩形の構造に基体12を形成することが有利である。
【００１２】
前記のように、固定部材14を移動可能に基体12に接続して、図１に示す開放位置から図２に示す閉鎖位置に固定部材14を移動することが有利である。固定部材14が図１に示す開放位置にあるとき、図７に略示するように、留め具20を空間18内に配置して支持体22に装着し、その後、容器10の最上部にある垂直壁16の湾曲頂部26を露出したまま、図２に示す閉鎖位置に固定部材14を移動して、固定部材14の保持片32を留め具20の脚部24に接触させ、係止装置38により固定部材14を基体12に固定するので、保持片32により留め具20を空間18内に保持すると共に、保持片32により留め具20を空間18内に保持する状態で、外科用接合器具を留め具20に正確に整合させて容器10から留め具を取出す外科医又は資格者を補助することができる。
【００１３】
基体12に一体に形成される撓み型の丁番部（ヒンジ）30を介して基体12に移動可能に連結される側壁28と、側壁28に対し好適には鋭角Aで側壁28から延伸する可撓性の保持片32とを固定部材14に設けることが有利でありかつ好ましく、基体12に対しほぼ垂直となる閉鎖位置に側壁28を配置すると、図２に示すように、可撓性の保持片32は、垂直壁16間の空間18内の下方に僅かに傾斜して、所望のように留め具20の両端24が保持片32に接触し、保持片32により留め具20を空間18内に保持することができる。
【００１４】
前記のように、丁番部30を介して固定部材14の側壁28を基体12に接続し、丁番部30を形成する旋回軸周りに固定部材14が基体12に対して回転して、所望のように固定部材14を移動することが好ましい。このように、丁番部30により形成される旋回軸周りに固定部材14を回転して、図１の開放位置から図２の閉鎖位置に固定部材14を移動できる。
【００１５】
また、基体12と側壁28とを接続する丁番部30の接続位置に傾斜面34,36を設け、固定部材14が閉鎖位置にあるとき、実質的に向き合い、対向し又は隣接して、所望通り、容器10に機械的強度と構造一体性を付与する両傾斜面34,36を設けることが有効である。
【００１６】
前記のように、本発明の顕著な特徴は、所望のように固定部材を閉鎖位置に保持して、容器10に対して留め具を一体化する係止装置にある。
【００１７】
図３〜図６は、容器に対して留め具を一体化して保持する係止装置38の別の具体的な実施の形態を示す。基体12と固定部材14との間に係止装置38を形成し、固定部材14を閉鎖位置に移動したとき、係止装置38により固定部材14の係合保持部を基体12に嵌合する構造が好ましい。この構造では、基体12と固定部材14の一方に可撓性の爪片（タブ）42を形成し、基体12と固定部材14の他方に受口44を形成したラッチ40を固定部材14と基体12との間に設けて、固定部材14を閉鎖位置に移動すると、可撓性の爪片42を受口44内にスナップ作用で嵌合し保持することができる。図３〜図６に示す単純な構造は、本発明の用途に勿論好適なラッチ40の一実施の形態であるが、可撓性の爪片42を基体12に設け、受口44を固定部材44に設けて、爪片42を受口44に嵌合する代わりに、可撓性の爪片42を固定部材14に設け、受口44を基体12に設けて、爪片42を受口44に嵌合する構造等他の複数の構造も利用できよう。
【００１８】
図７は、容器10内への一連の留め具20の装着を準備した開放状態の容器10を示す。開放状態で容器10を製造しかつ装着装置に搬送した後、装着装置で留め具20を容器10に装着することができる。別法として、全て単一の工場内の容器製造工程ラインで留め具を容器に一貫して装着することができる。いずれの場合も、容器内に留め具を一度装着すれば、固定部材を閉鎖位置に移動でき、更に図８に示すように、容器10の梱包材を準備して、製品の最終ユーザに容器10を出荷することができる。
【００１９】
図８は、包装座（包装基部）50と、包装座50と容器10との間に配置される１枚の接着材52と、膨出部56を形成したカバー（膨出部シート）54とを設けた包装用組立体を示し、包装用組立体を使用して、所望のように容器10を膨出部56内に配置し、その後、カバー54を包装座50に固定することができる。
【００２０】
図示のように、カバー54に非接着エンボス加工部58を設け、使用者は、包装用組立体の端部に配置される非接着エンボス加工部58を包装座50から分離し、包装座50からカバー54を剥離し、容器10を露出させて取り出すことができる。容器10の底面に接着材52を固定するが、接着剤を露出する剥離可能なシートを接着材52に貼着するため、接着材52を使用して適当なあらゆる表面に容器10を固定して、外科手術を行う外科医が容易に容器10及び容器10に保持される留め具を利用することができる。
【００２１】
図１〜図７に示す構造の容器は、単純な射出成形工程で製造でき、本発明により、この容器は、留め具を容器に一体化して固定する係止装置と共に基体と固定部材とを単一の一体構造に形成できることを理解できよう。この構造により、留め具の装着作業を大幅に単純化できると共に、複数の部品を個別に製造する工程と、容器の基体上に各部品を個別に配置する工程とを必要としない利点がある。
【００２２】
一体の丁番部30を介して図示の固定部材14を基体10に回転可能に接続し、ラッチ機構も含む単一成形体として図示の容器を製造できるため、固定部材14は、特に有用な実施の形態である。
【００２３】
スナップ作用で機械式の丁番部を基体に係合する１つ又は２つ以上の個別片を設けた固定部材を変形例としてもよい。基体に対し摺動可能な固定部材でもよく、前記実施の形態は、本発明の最広義の範囲に含まれる。
【００２４】
射出成形工程により本発明の容器を製造するとき、アクリロニトリル・ブタジエン・スチレン樹脂（ABS）、ポリアミド、ポリカーボネート等適切な射出成形用樹脂により容器を製造することができる。本発明の広義の範囲に該当する限り、他の製造技術と他の適切な材料も勿論使用できる。
【００２５】
留め具と共に移動する容器の如何なる移動経路も被験者に無害なように、容器に収容すべき留め具に対し互換性と生体適合性を有する容器材料を選択すべき点に勿論留意すべきである。
【００２６】
前記詳細な説明は、本発明の好適な実施の形態を例示するに過ぎない。本発明の広い技術的範囲内で本発明の種々の構造、形状及び態様等を勿論全て修正することができる。このように、本発明の範囲を開示した実施の形態に限定して解釈すべきではなく、本発明の範囲は、特許請求の範囲及びその均等物により定義される。
【符号の説明】
【００２７】
(10)・・容器、  (12)・・基体、  (14)・・固定部材、  (16)・・垂直壁、  (18)・・空間、  (20)・・外科用留め具、  (28)・・側壁、  (30)・・丁番部、  (32)・・保持片、  (34,36)・・傾斜面、  (38)・・係止装置、  (40)・・ラッチ、  (42)・・爪片、  (44)・・受口、  (50)・・包装座、  (52)・・接着性シート、  (56)・・膨出部、
【図１】
0005934343.tif 000002
【図２】
0005934343.tif 000003
【図３】
0005934343.tif 000004
【図４】
0005934343.tif 000005
【図５】
0005934343.tif 000006
【図６】
0005934343.tif 000007
【図７】
0005934343.tif 000008
【図８】
0005934343.tif 000009